(57)【要約】【課題】小型化しても光学的な有効エリアを確保し、機械的な衝撃を低下させることなく、必要とされる光束分離パターンが得られるように光束分離方向と光学ローパスフィルタ主面の表裏判別が容易できる高品質でより信頼性の高い光学ローパスフィルタ、および光学ローパスフィルタを用いた撮像装置を提供する。【解決手段】主面方形状で主面に入射した光線が所定の方向に分離して出射する光束分離方向を有してなる直方体の光学ローパスフィルタ１であって、前記入射側または出射側の一方の主面に、光束分離方向を示す１つ以上のマーキングＭ１が当該主面中心に対して端部で非点対称に形成されたことを特徴とする。【選択図】  図１
2004198780.tif 000002
【特許請求の範囲】
【請求項１】
主面方形状で主面に入射した光線が所定の方向に分離して出射する光束分離方向を有してなる直方体の光学ローパスフィルタであって、
前記入射側または出射側の一方の主面に、光束分離方向を示す１つ以上のマーキングが当該主面中心に対して端部で非点対称に形成されたことを特徴とする光学ローパスフィルタ。
【請求項２】
上記主面中心に対して端部で非点対称に形成されたマーキングとして、
▲１▼前記入射側または出射側の一方の主面に、当該主面の１つの角部近傍にのみ光束分離方向を示すマーキング、
▲２▼前記入射側または出射側の一方の主面に、当該主面の隣接する２つの角部近傍に光束分離方向を示す第１のマーキング、第２マーキング、
▲３▼前記入射側または出射側の一方の主面に、当該主面の３つの角部近傍に光束分離方向を示す第１のマーキング、第２マーキング、および第３のマーキング、
以上▲１▼〜▲３▼のうち、いずれか１つに記載されたのマーキングが形成されたことを特徴とする特許請求項１記載の光学ローパスフィルタ。
【請求項３】
主面方形状で主面に入射した光線が所定の方向に分離して出射する光束分離方向を有してなる直方体の光学ローパスフィルタであって、
前記光学ローパスフィルタの１つの側面に、光束分離方向を示す１つ以上のマーキングが当該側面中心に対して非点対称に形成されたことを特徴とする光学ローパスフィルタ。
【請求項４】
上記側面中心に対して非点対称に形成されたマーキングとして、
前記光学ローパスフィルタの１つの側面で、１つの辺の端部のみに光束分離方向を示すマーキングを形成したことを特徴とする特許請求項３記載の光学ローパスフィルタ。
【請求項５】
特許請求項１〜４のいずれか１項記載の光学ローパスフィルタを撮像素子が収納されたパッケージの開口部に取り付けてなる撮像装置であって、
前記光学ローパスフィルタには、一方の主面側のみにコート材が形成されているか、または一方の主面側が他方の主面側より多層のコート材が形成されてなり、当該コート材を有する主面、またはより多層のコート材を有する主面を光学ローパスフィルタの入射側の主面として、前記パッケージ外方に向けて当該パッケージの開口部に取り付けたことを特徴とする撮像装置。
【発明の詳細な説明】
【０００１】
【発明の属する技術分野】
本発明は、ビデオカメラや電子スチルカメラに用いられる水晶複屈折板などの光学ローパスフィルタ、あるいはこれらを用いた撮像装置の構造に関するものである。
【０００２】
【従来の技術】
一般的なビデオカメラや電子スチルカメラ等の撮像装置は、光学的光軸上に垂直に被写体側より結合光学系、赤外線カットフィルタ等の色補正フィルタ、光学ローパスフィルタ等の各種光学フィルタ、ＣＣＤ（Charge Coupled Device）やＭＯＳ（Metal Oxide Semiconducter）等の固体撮像素子の順で配置されている。
【０００３】
こうした構成のうち光学ローパスフィルタは、撮像デバイスによって検出された光学的疑似信号を濾波するものであり、これによりビデオカメラの画質が低下するのを防止する。つまり、ＣＣＤ等の撮像デバイスの画素ピッチに近い色情報（格子縞など）を有する被写体を撮影したときに、撮像デバイスに本来の映像情報と異なる疑似信号が発生し、出力された映像において色がにじむモアレ現象が発生することがあった。光学ローパスフィルタはこのような疑似信号に関連する空間周波数成分を遮断、減衰させるために用いられる。光学ローパスフィルタは、例えば、水晶複屈折板を少なくとも１枚以上用いた構成であり、その表面に露出した主面部分には反射防止膜が施されているのが一般的である。そして、水晶の複屈折効果により入射光を常光線と異常光線に光束分離して出射光とするもので、その主面において所定の光束分離方向と所定の分離幅は有するものである。このような水晶複屈折板では、上記光束分離方向を明示するために、その主面の端部に切り欠き等が一般的に形成されている。（例えば、特許文献１参照）。
【０００４】
ところがこのような明示手段では、切り欠きを加工する際に、微少なクラックが発生し、割れ、欠けの発生箇所となりやすい等機械的衝撃に弱かった。また、切り欠き等を形成することで光学ローパスフィルタの小型に伴う光学的に有効なエリアが確保できないことがあった。さらに、最近では、電子スチルカメラ向けの光学ローパスフィルタでは、ＣＣＤ等の固体撮像素子の形状に合わせて略正方板形状のもの採用されている。この場合、光学ローパスフィルタの光束分離方向の判別に加えて、光学ローパスフィルタの入射側と出射側の主面の判別、ならびに光学ローパスフィルタ主面の中心点で９０°回転した際の縦方向と横方向の判別の必要性が求められている。例えば、光学ローパスフィルタの光束分離パターンによっては、光学ローパスフィルタの入射側と出射側の主面を間違えて配置すると、本来必要とされるものと異なる光束分離パターンとなり、光学ローパスフィルタの性能を十分に発揮できないことがあった。
【０００５】
また、ＣＣＤ等の撮像デバイスは比較的広い感度特性を有しており、可視領域の光に加えて、一部赤外領域の光にも応答する。しかしながら通常の被写体撮影に用いられる撮像装置においては、赤外入射光は迷光となり、解像度の低下、画像のシミ、ムラが生じ、色再現性に悪影響を与える。このような悪影響を排除し、光学特性を補正するため、光学ローパスフィルタには、色補正フィルタとして赤外線カットフィルタ、紫外線カットフィルタ、赤外線紫外線カットフィルタが形成されている。例えば、赤外線カットフィルタとしては、それぞれ用途により、着色ガラス、着色樹脂板等の部材を当該光学ローパスフィルタに貼り付けたり、Ａｌ２Ｏ３、ＴｉＯ２、ＳｉＯ２等の多層膜赤外線カットコート材（以下赤外線カットコートという）を当該光学ローパスフィルタに形成したりしており、必要に応じてこれらが組み合わせられる。最近では、光学ローパスフィルタの小型化、薄型化に伴い、前記色補正フィルタとしてコート材が形成されるものが多くなっている。
【０００６】
ところが、光学ローパスフィルタの一主面にのみ、上述のコート材が形成されている場合、あるいは、光学ローパスフィルタの一主面が他主面より多層のコート材が形成されている場合、目視によってコート材がどちらの主面に形成されているか、あるいはより多層のコート材がどちらの主面に形成されているかどうかの判別が極めて困難であった。つまり、作業者が、撮像装置へ光学ローパスフィルタを組み立てる際に、コート材が形成されている側の主面、あるいは多層のコート材が形成されている側の主面を認識できずに、方向を間違えて配置するといった危険性も非常に高かった。
【０００７】
特に、近年ビデオカメラ等撮像装置の小型化が進み、ＣＣＤ等の撮像素子の前面に配置される光学ローパスフィルタとの距離も短くなっているので、光学ローパスフィルタの赤外線カットコートを有する主面が水晶複屈折板の主面よりＣＣＤ側に近接配置されることがあった。このとき、前記主面の凹凸は光学的な異物となり画像上のノイズとして顕著化してビデオ出力された画質を悪化させると言った問題があった。これは、赤外線カットコートのように、蒸着等により光学ローパスフィルタの主面に数十層もの多層薄膜が形成されたコート材の場合、特に主面が凹凸状になりやすく、光学的な異物としてより顕著に現れることが考えられる。
【０００８】
【特許文献１】
実開昭６３−１０９９０１号公報
【０００９】
【発明が解決しようとする課題】
本発明は上記問題点を解決するためになされたもので、小型化しても光学的な有効エリアを確保し、機械的な衝撃を低下させることなく、必要とされる光束分離パターンと光学特性が得られ、ビデオ出力された画質を低下させることがない高品質でより信頼性の高い光学ローパスフィルタ、および光学ローパスフィルタを用いた撮像装置を提供することを目的としている。
【００１０】
【課題を解決するための手段】
そこで本発明の光学ローパスフィルタは、主面方形状で主面に入射した光線が所定の方向に分離して出射する光束分離方向を有してなる直方体の光学ローパスフィルタであって、前記入射側または出射側の一方の主面に、光束分離方向を示す１つ以上のマーキングが当該主面中心に対して端部で非点対称に形成されたことを特徴とする。
【００１１】
上記主面中心に対して端部で非点対称に形成されたマーキングとして、前記入射側または出射側の一方の主面に、当該主面の１つの角部近傍にのみ光束分離方向を示すマーキングを形成してもよいし、前記入射側または出射側の一方の主面に、当該主面の隣接する２つの角部近傍に光束分離方向を示す第１のマーキング、第２マーキングを形成してもよいし、前記入射側または出射側の一方の主面に、当該主面の３つの角部近傍に光束分離方向を示す第１のマーキング、第２マーキング、および第３のマーキングを形成してもよい。
【００１２】
また、主面方形状で主面に入射した光線が所定の方向に分離して出射する光束分離方向を有してなる直方体の光学ローパスフィルタであって、前記光学ローパスフィルタの１つの側面に、光束分離方向を示す１つ以上のマーキングが当該側面中心に対して非点対称に形成されたことを特徴とする。
【００１３】
上記側面中心に対して非点対称に形成されたマーキングとして、  前記光学ローパスフィルタの１つの側面で、１つの辺の端部のみに光束分離方向を示すマーキングを形成してもよい。
【００１４】
また、上記光学ローパスフィルタを撮像素子が収納されたパッケージの開口部に取り付けてなる撮像装置であって、前記光学ローパスフィルタには、一方の主面側のみにコート材が形成されているか、または一方の主面側が他方の主面側より多層のコート材が形成されてなり、当該コート材を有する主面、またはより多層のコート材を有する主面を光学ローパスフィルタの入射側の主面として、前記パッケージ外方に向けて当該パッケージの開口部に取り付けたことを特徴とする。
【００１５】
【発明の効果】
特許請求項１〜４によれば、光学ローパスフィルタの入射側または出射側の一方の主面に、光束分離方向を示す１つ以上のマーキングが当該主面中心に対しての端部で非点対称に形成されている、あるいは光学ローパスフィルタの１つの側面に、光束分離方向を示す１つ以上のマーキングが当該側面中心に対して非点対称に形成されているので、前記マーキングが示す光学分離方向が認識された状態で、撮像素子に配置することができる。また、前記マーキングが形成された場所により光入射面か光出射面か表裏判別できる。さらに、電子スチルカメラ等の固体撮像素子の主面形状に対応させた主面略正方形状の光学ローパスフィルタであっても、主面の縦方向と横方向が認識された状態で、撮像素子に配置することができる。
【００１６】
つまり、本発明の光学ローパスフィルタのマーキングによれば、主面略正方形状の光学ローパスフィルタにおける光束分離方向の明示と、入射側主面と出射側主面の判別、主面の中心点での９０°回転した際の縦方向と横方向の判別が同時に実現できる。
【００１７】
さらに、光学ローパスフィルタの主面端部、あるいは前記光学ローパスフィルタの側面に前記マーキングを形成することにより、従来の切り欠き等からなるの目印に比べて、小型化しても光学的な有効エリアを確保しやすく、光学ローパスフィルタに機械的な研削加工しないので、クラック等を発生させることが一切ない。そして、電子スチルカメラ向けＣＣＤ等の固体撮像素子の主面形状に対応させた主面略正方形状の光学ローパスフィルタとした場合、撮像素子を収納するパッケージの形状にも対応することができ、カバー部材として光学ローパスフィルタを取り付けることもできるので、撮像装置全体の小型化が可能となる。
【００１８】
従って、小型化しても光学的な有効エリアを確保し、機械的な衝撃を低下させることがない。本来必要とされる光束分離パターンが得られるので、光学ローパスフィルタの性能を十分に発揮できる。ビデオ出力された画質を悪化させることがない。高品質でより信頼性の高い光学ローパスフィルタを提供することができる。
【００１９】
特許請求項２によれば、上述の作用効果に加えて、上記主面端部で非対称に形成されたマーキングを、主面の角部近傍のみに形成しているので、小型化しても光学的な有効エリアをより確保しやすく、さらにマーキングの形成場所として、光学ローパスフィルタの主面上に容易に特定できるので、製造性が高い。
【００２０】
特許請求項４によれば、上述の作用効果に加えて、マーキングを、前記光学ローパスフィルタの１つの側面で、１つの辺の端部のみに光束分離方向を示すマーキングが形成されているので、主面の全てを光学的な有効エリアとして確保でき、さらにマーキングの形成場所として、光学ローパスフィルタの側面上に容易に特定できるので、製造性が高い。
【００２１】
特許請求項５によれば、コート材、あるいはより多層のコート材が形成された光学ローパスフィルタの主面を入射側の主面として、前記パッケージ外方に向けて当該パッケージの開口部に取り付けているので、前記コート材、あるいはより多層のコート材が形成された主面を撮像素子から隔離して配置するこができる。従って、コート材の凹凸が光学的な異物となり画像上のノイズとして顕著化してビデオ出力された画質を悪化させることがない。高品質でより信頼性の高い撮像装置を提供することができる。
【００２２】
【発明の実施の形態】
本発明による第１の実施の形態について、光学ローパスフィルタを例にとり図面を参照して説明する。図１は本発明による第１の実施形態を示す図であり、図２は製造方法を示す図である。また図３、図４はその変形例を示す光学ローパスフィルタの斜視図である。
【００２３】
本実施の形態による光学ローパスフィルタは、図１（ａ）に示すように主面略正方形状の水晶複屈折板１の単板構成である。水晶複屈折板は周知のとおり、水晶の複屈折効果により入射光を常光線と異常光線に光分離して出射光とするもので、光分離方向、分離幅は所定のパラメータにより適宜調整することができる。また水晶複屈折板１の光入射側主面には、色補正フィルタとして赤外線カットコート１ａが形成されている。当該コート１ａは詳細図示していないが、高屈折性の誘電体薄膜（例えばＴｉＯ２）と、低屈折性の誘電体薄膜（例えばＳｉＯ２等）とが交互に１０層〜６０層まで積層されて多層膜を形成している。
【００２４】
水晶複屈折板１は例えば４５°方向（主面向かって右側水平方向を０°とし、反時計回りに４５°とする）に光線分離するよう設定されており、この水晶複屈折板１の光入射側主面には、光束分離方向である当該主面の角部１１の近傍に点状のマーキングＭ１が不滅インキやレーザーにより形成されている。
以上のように構成された水晶複屈折板１は、図１（ｂ）に示すように、当該水晶複屈折板のコート材１ａが形成された主面を入射側の主面としてＣＣＤ等の撮像素子４から隔離する方向に配置し、例えばＣＣＤを収納するパッケージ５の開口部５１に取り付けられ、図示しない結合光学系とともに、ビデオカメラや電子スチルカメラ等の撮像装置に組み込まれる。
【００２５】
本発明の第１の実施形態では、水晶複屈折板１の光入射面で当該主面の１つの角部近傍にのみマーキングＭ１が形成されているので、例えば、マーキングＭ１が形成された角部１１の方向に光学分離方向が存在することが明示され、また、マーキングＭ１が形成された主面が光入射面であり、コート材１ａが形成されている主面であるとして、表裏判別が可能となる。さらに、主面略正方形状の水晶複屈折板１であり、当該主面の中心点での９０°回転しても、縦方向と横方向の判別も可能となる。
【００２６】
次に上記光学ローパスフィルタを形成する方法について図２の模式図とともに説明する。
図２（ａ）に示すように、４５°方向（図中の矢印）に光分離し、両主面がポリッシュ研磨された複屈折板ウェハＷを得る。
図２（ｂ）に示すように、前記ウェハＷの入射面Ｗ１に赤外線カットコートを形成するため、誘電体薄膜（ＴｉＯ２とＳｉＯ２）Ｈを真空蒸着法等の手段により交互に積層し、多層膜を形成する。
図２（ｃ）に示すように、このような光学ローパスフィルタウェハＷを支持台Ｓの上に水溶性の接着剤により接着し、ダイシングブレードにより、マトリックス状に小割り切断する。
図２（ｄ）に示すように、前記切断された個々のウェハＷの光束分離方向に相当する角部にレーザーを照射し、前記誘電体薄膜の一部を除去することでマーキングＭを形成する。
図２（ｅ）に示すように、水溶性の接着剤を溶解し、個々の光学ローパスフィルタ１に分離する。
【００２７】
本発明による光学ローパスフィルタの製造方法は上記方法に限定されるものではない。例えば、ダイシングブレードの切断前にレーザー照射することでマーキングを先に形成してもよく、レーザーの変わりに不滅インクによるマーキングをスタンピングやマスクキングにより形成することも可能である。
【００２８】
なお、上記第１の実施形態のマーキング形態に限ることなく、図３に示すものであってもよい。
【００２９】
図３（ａ）の水晶複屈折板１は、例えば１３５°方向に光線分離するよう設定されており、光入射側主面には、色補正フィルタとして赤外線カットコート１ａが形成され、光出射側主面には、反射防止コート１ｂが形成されている。当該赤外カットコート１ａは詳細図示していないが、高屈折性の誘電体薄膜（例えばＴｉＯ２）と、低屈折性の誘電体薄膜（例えばＳｉＯ２等）とが交互に１０層〜６０層まで積層されて多層膜を形成している。当該反射防止コート１ｂは詳細図示していないが、高屈折性の誘電体薄膜（例えばＴｉＯ２）と、低屈折性の誘電体薄膜（例えばＳｉＯ２等）とが交互に２層〜５層まで積層されて多層膜を形成している。この水晶複屈折板１の光出射側主面には、３つの角部１１，１２，１３の近傍に光束分離方向を示す点状の第１のマーキングＭ１、点状の第２マーキングＭ２、および点状の第３のマーキングＭ３が不滅インキやレーザーにより形成されている。
【００３０】
以上のように構成された水晶複屈折板１は、図示しないが、当該水晶複屈折板の反射防止コート１ｂに対してより多層の赤外カットコート材１ａが形成された主面を入射側の主面としてＣＣＤ等の撮像素子から隔離する方向に配置し、例えばＣＣＤを収納するパッケージの開口部にカバー部材として取り付けられ、結合光学系とともに、ビデオカメラや電子スチルカメラ等の撮像装置に組み込まれる。
【００３１】
このような構成では、水晶複屈折板１の光出射面で当該主面の３つの角部近傍に第１のマーキングＭ１、第２のマーキングＭ２、第３のマーキングＭ３が形成されているので、例えば、当該主面の前記各マーキングＭ１〜Ｍ３が形成されない角部１４の方向に光学分離方向が存在することが明示され、前記各マーキングが形成された主面が光出射面であり、反射防止コート１ｂが形成されている主面であるとして、表裏判別が可能となる。さらに、主面略正方形状の水晶複屈折板１であり、当該主面の中心点での９０°回転しても、縦方向と横方向の判別も可能となる。
【００３２】
図３（ｂ）の光学ローパスフィルタ２は、水晶複屈折板２１、１／４波長板２２（水晶板、樹脂板等）、ならびに水晶複屈折板２３とを貼り合わせた構成である。水晶複屈折板２１は、例えば０°方向に光線分離するよう設定されており、入射した光を水晶の複屈折効果により水平方向に分離する機能を有する。また水晶複屈折板２１の光入射面には、色補正フィルタとして赤外線カットコート等のコート材２ａが形成されている。水晶複屈折板２３は例えば９０°方向に光線分離するよう設定されており、入射した光を水晶の複屈折効果により９０°方向に分離する機能を有する。また水晶複屈折板２３の光出射面には、光反射防止コート２ｂが形成されている。当該赤外カットコート２ａは詳細図示していないが、高屈折性の誘電体薄膜（例えばＴｉＯ２）と、低屈折性の誘電体薄膜（例えばＳｉＯ２等）とが交互に１０層〜６０層まで積層されて多層膜を形成している。当該反射防止コート２ｂは詳細図示していないが、高屈折性の誘電体薄膜（例えばＴｉＯ２）と、低屈折性の誘電体薄膜（例えばＳｉＯ２等）とが交互に２層〜５層まで積層されて多層膜を形成している。この光学ローパスフィルタ２の光入射側主面には、水晶複屈折板２１の光束分離方向である辺に隣接する２つの角部２１１、２１２の近傍に点状の第１のマーキングＭ１、点状の第２のマーキングＭ２が不滅インキやレーザーにより形成されている。
【００３３】
以上のように構成された光学ローパスフィルタ２は、図示しないが、当該光学ローパスフィルタの反射防止コート２ｂに対してより多層の赤外カットコート材２ａが形成された主面を入射側の主面としてＣＣＤ等の撮像素子から隔離する方向に配置し、例えばＣＣＤを収納するパッケージの開口部に取り付けられ、結合光学系とともに、ビデオカメラや電子スチルカメラ等の撮像装置に組み込まれる。
【００３４】
このような構成では、水晶複屈折板２の光入射面で当該主面の隣接する２つの角部近傍に第１のマーキングＭ１、第２のマーキングＭ２が形成されているので、例えば、第１のマーキングＭ１と第２のマーキングＭ２が形成された辺の方向に光学分離方向が存在することが明示され、前記各マーキングが形成された主面が光入射面であり、赤外線カットコート２ａが形成されている主面であるとして、表裏判別が可能となる。さらに、主面略正方形状の水晶複屈折板１であり、当該主面の中心点での９０°回転しても、縦方向と横方向の判別も可能となる。なお、上記光学ローパスフィルタ２の光出射側主面で、水晶複屈折板２３の光束分離方向である辺に隣接する２つの角部の近傍に対しても、第１のマーキングＭ１、第２のマーキングＭ２を不滅インキやレーザーにより形成してもよい。
【００３５】
さらに、光学ローパスフィルタ（水晶複屈折板）の当該主面中心に対して端部で非点対称に形成されたマーキングとして、上記角部の近傍のみのマーキング形態に限ることなく、図４に示すものであってもよい。
【００３６】
図４（ａ）の水晶複屈折板１は、例えば０°方向に光線分離するよう設定されており、光入射側主面には、色補正フィルタとして赤外線カットコート１ａが形成されている。この水晶複屈折板１の光入射側主面には、１つの辺１５の中央部のみに光束分離方向を示す点状の第１のマーキングＭ１が不滅インキやレーザーにより形成されている。
【００３７】
また、図４（ｂ）の水晶複屈折板１は、例えば０°方向に光線分離するよう設定されており、光入射側主面には、色補正フィルタとして赤外線カットコート１ａが形成されている。この水晶複屈折板１の光入射側主面には、辺１５に光束分離方向を示す点状の第１のマーキングＭ１、点状の第２のマーキングＭ２、および辺１６に光束分離方向を示す点状の第３のマーキングＭ３が不滅インキやレーザーにより形成されている。
【００３８】
さらに、図４（ｃ）の水晶複屈折板１は、例えば０°方向に光線分離するよう設定されており、光入射側主面には、色補正フィルタとして赤外線カットコート１ａが形成されている。この水晶複屈折板１の光入射側主面には、辺１５に沿って光束分離方向を示す線状の第１のマーキングＭ１が不滅インキやレーザーにより形成されている。
【００３９】
このように、特定の辺いずれかに１つ以上のマーキングを形成し、光学ローパスフィルタの当該主面中心に対して端部で非点対称なマーキングを形成してもよい。
【００４０】
以上のように構成された水晶複屈折板１は、図示しないが、当該水晶複屈折板の赤外カットコート材１ａが形成された主面を入射側の主面としてＣＣＤ等の撮像素子から隔離する方向に配置し、例えばＣＣＤを収納するパッケージの開口部にカバー部材として取り付けられ、結合光学系とともに、ビデオカメラや電子スチルカメラ等の撮像装置に組み込まれる。
【００４１】
次に、本発明の第２の実施形態による光学ローパスフィルタについて図面とともに説明する。図５は本発明による第２の実施形態を示す図である。
【００４２】
本実施の形態による光学ローパスフィルタは、図５（ａ）に示すように主面略正方形状の水晶複屈折板３の単板構成である。水晶複屈折板は周知のとおり、水晶の複屈折効果により入射光を常光線と異常光線に光分離して出射光とするもので、光分離方向、分離幅は所定のパラメータにより適宜調整することができる。また水晶複屈折板３の光入射側主面には、反射防止コート３ａが形成されている。当該コート３ａは詳細図示していないが、高屈折性の誘電体薄膜（例えばＴｉＯ２）と、低屈折性の誘電体薄膜（例えばＳｉＯ２等）とが交互に２層〜５層まで積層されて多層膜を形成している。
【００４３】
水晶複屈折板３は例えば４５°方向に光線分離するよう設定されており、この水晶複屈折板３の入射面上部にある側面３１では、長辺方向の右側端部３１１に、光束分離方向を示すマーキングＭ４が不滅インキやレーザーにより形成されている。なお、本発明の形態では素子の側面にマーキングを形成するので、簡易的に油性ペンなどで記載することも可能である。
【００４４】
以上のように構成された水晶複屈折板３は、図５（ｂ）に示すように、当該水晶複屈折板のコート材３ａが形成された主面を入射側の主面としてＣＣＤ等の撮像素子４から隔離する方向に配置し、例えばＣＣＤを収納するパッケージ５の開口部５１にカバー部材として取り付けられ、図示しない結合光学系とともに、ビデオカメラや電子スチルカメラ等の撮像装置に組み込まれる。
【００４５】
本発明の第２の実勢形態では、前記光学ローパスフィルタ３の入射面上部側面３１（光学ローパスフィルタの１つの側面）で、長辺方向の右側端部（１端部のみ）に光束分離方向を示す点状のマーキングＭ４が形成されているので、例えば、マーキングＭ４が形成された側面端部３１１の方向に光学分離方向が存在することが明示され、マーキングＭ４を光学ローパスフィルタの上部側面の右側端部に配置した場合、手前の主面が光入射面であり、コート材１ａが形成されている主面であるとして、表裏判別が可能となる。さらに、主面略正方形状の水晶複屈折板１であり、当該主面の中心点での９０°回転しても、縦方向と横方向の判別も可能となる。
【００４６】
なお、光学ローパスフィルタ（水晶複屈折板）の当該側面中心に対して非点対称に形成されたマーキングとして、上記マーキング形態に限ることなく、図６に示すものであってもよい。
【００４７】
図６（ａ）の水晶複屈折板３は、例えば４５°方向に光線分離するよう設定されており、光入射側主面には、色補正フィルタとして赤外線カットコート３ａが形成されている。この水晶複屈折板１の入射面上部にある側面３１では、中央部と長辺方向の右側端部３１１に、光束分離方向を示す点状の第１のマーキングＭ４、点状の第２のマーキングＭ５が形成されている。
【００４８】
また、図６（ｂ）の水晶複屈折板３は、例えば４５°方向に光線分離するよう設定されており、光入射側主面には、色補正フィルタとして赤外線カットコート３ａが形成されている。この水晶複屈折板１の入射面上部にある側面３１では、中央部から長辺方向の右側端部３１１に、光束分離方向を示す線状の第１のマーキングＭ４が形成されている。
【００４９】
このように、特定の側面に１つ以上のマーキングを形成し、光学ローパスフィルタの当該側面中心に対して非点対称なマーキングを形成してもよい。
【００５０】
以上のように構成された水晶複屈折板３は、図示しないが、当該水晶複屈折板の赤外カットコート材３ａが形成された主面を入射側の主面としてＣＣＤ等の撮像素子から隔離する方向に配置し、例えばＣＣＤを収納するパッケージの開口部にカバー部材として取り付けられ、結合光学系とともに、ビデオカメラや電子スチルカメラ等の撮像装置に組み込まれる。
【００５１】
本発明の実施形態では、色補正フィルタとして、赤外線カットフィルタを例にしているが、紫外線カットフィルタや、赤外線と紫外線をカットするフィルタ等にも適用してもよい。また、上述のマーキング形状に限らず、図形、文字、記号等、様々なマーキング形態を採用することができ、これらを組み合わせてもよい。さらに、撮像装置用の光学ローパスフィルタに限ることなく、プロジェクターなどの表示装置用、あるいは他の用途にも適用できる。また、本発明は主面略正方形状のものを例にしたが、主面長方形状のものにも適用できる。
【図面の簡単な説明】
【図１】第１の実施形態を示す図。
【図２】第１の実施形態の製造方法を示す図。
【図３】第１の実施形態の変形例を示す光学ローパスフィルタの斜視図。
【図４】第１の実施形態の変形例を示す光学ローパスフィルタの斜視図。
【図５】第２の実施形態を示す図。
【図６】第２の実施形態の変形例を示す光学ローパスフィルタの斜視図。
【符号の説明】
１、３、２１、２３  水晶複屈折板
２２  １／４波長板
４  撮像素子
５  撮像素子のパッケージ
Ｗ  光学ローパスフィルタウェハ
【図１】
2004198780.tif 000003
【図２】
2004198780.tif 000004
【図３】
2004198780.tif 000005
【図４】
2004198780.tif 000006
【図５】
2004198780.tif 000007
【図６】
2004198780.tif 000008